(57)【要約】  本発明は、液晶表示装置の画素セルに電力を供給する液晶駆動回路であり、第１の電気スイッチ（Ｔ１）、第２の電気スイッチ（Ｔ２）、第３の電気スイッチ（Ｔ３）、第４の電気スイッチ（Ｔ４）、第５の電気スイッチ（Ｔ５）、第１のコンデンサ（Ｃ１）、第２のコンデンサ（Ｃ２）、第３のコンデンサ（Ｃ３）、第４のコンデンサ（Ｃ４）を含む液晶駆動回路を提供する。さらに、画素セルと、前記液晶駆動回路とを含む液晶表示装置を提供する。
2019522241.tif 000002
【特許請求の範囲】
【請求項１】
液晶表示装置の画素セルに電力を供給する液晶駆動回路であって、
第１の電気スイッチの制御端子、第１の電気スイッチの第１の端子、及び第１の電気スイッチの第２の端子を含む第１の電気スイッチと、
第２の電気スイッチの制御端子、第２の電気スイッチの第１の端子、及び第２の電気スイッチの第２の端子を含む第２の電気スイッチと、
第３の電気スイッチの制御端子、第３の電気スイッチの第１の端子、及び第３の電気スイッチの第２の端子を含む第３の電気スイッチと、
第４の電気スイッチの制御端子、第４の電気スイッチの第１の端子、及び第４の電気スイッチの第２の端子を含む第４の電気スイッチと、
第５の電気スイッチの第１の端子及び第５の電気スイッチの第２の端子を含む第５の電気スイッチと、
第１のコンデンサの第１の端子及び第１のコンデンサの第２の端子を含む第１のコンデンサと、
第２のコンデンサの第１の端子及び第２のコンデンサの第２の端子を含む第２のコンデンサと、
第３のコンデンサの第１の端子及び第３のコンデンサの第２の端子を含む第３のコンデンサと、
第４のコンデンサの第１の端子及び第４のコンデンサの第２の端子を含む第４のコンデンサと、を含み、
前記第１の電気スイッチの制御端子、前記第２の電気スイッチの制御端子、及び前記第３の電気スイッチの制御端子がゲート制御端子に接続され、前記第１のコンデンサの第１の端子及び前記第２のコンデンサの第１の端子が前記第１の電気スイッチの第１の端子に接続され、前記第１の電気スイッチの第２の端子及び前記第２の電気スイッチの第１の端子がデータ端子に接続されて充電電圧を受け、前記第３のコンデンサの第１の端子及び前記第４のコンデンサの第１の端子が前記第２の電気スイッチの第２の端子に接続されるとともに前記第３の電気スイッチの第１の端子に接続され、前記第１のコンデンサの第２の端子、前記第２のコンデンサの第２の端子、前記第３のコンデンサの第２の端子、前記第４のコンデンサの第２の端子、及び前記第３の電気スイッチの第２の端子がコモン電圧端子に接続されてコモン電圧を受け、
前記第４の電気スイッチの制御端子が前記ゲート制御端子に接続されて制御信号を受信し、前記第４の電気スイッチの第１の端子が前記第２の電気スイッチの第２の端子に接続され、前記第４の電気スイッチの第２の端子が前記第５の電気スイッチの第１の端子に接続され、前記第５の電気スイッチの第２の端子が前記コモン電圧端子に接続されてコモン電圧を受ける液晶駆動回路。
【請求項２】
前記第１の電気スイッチ、前記第２の電気スイッチ、及び前記第３の電気スイッチが前記制御信号によってオンになり、前記第１のコンデンサ、前記第２のコンデンサ、前記第３のコンデンサ、及び前記第４のコンデンサを放電させると、前記データ端子から出力された電圧信号の負の半サイクル電圧信号によって、前記第５の電気スイッチがオンになり、さらに前記第４の電気スイッチがオンになり、前記第３のコンデンサ及び前記第４のコンデンサを前記第４の電気スイッチによって補充放電させる、請求項１に記載の液晶駆動回路。
【請求項３】
前記第５の電気スイッチが、前記データ端子から出力された電圧信号の負の半サイクル電圧信号によってオンになると、前記第３の電気スイッチ及び前記第４の電気スイッチは、同時に前記第３のコンデンサ及び前記第４のコンデンサを放電させる、請求項２に記載の液晶駆動回路。
【請求項４】
前記第１の電気スイッチ、前記第２の電気スイッチ、及び前記第３の電気スイッチが前記制御信号によってオンになり、前記第１のコンデンサ、前記第２のコンデンサ、前記第３のコンデンサ、及び前記第４のコンデンサを放電させると、前記データ端子から出力された電圧信号の正の半サイクル電圧信号によって、前記第５の電気スイッチがオフになり、さらに前記第４の電気スイッチがオフになり、第４の電気スイッチによる前記第３のコンデンサ及び前記第４のコンデンサの補充放電を停止させる、請求項１に記載の液晶駆動回路。
【請求項５】
第５の電気スイッチが、前記データ端子から出力された電圧信号の正の半サイクル電圧信号によってオフになると、前記第３の電気スイッチは、前記第３のコンデンサ及び前記第４のコンデンサを放電させる、請求項２に記載の液晶駆動回路。
【請求項６】
前記画素セルは、メインピクセルとサブピクセルとを含む、請求項１に記載の液晶駆動回路。
【請求項７】
前記第１の電気スイッチ、前記第１のコンデンサ、及び前記第２のコンデンサは、前記メインピクセル内に位置する、請求項６に記載の液晶駆動回路。
【請求項８】
前記第２の電気スイッチ、前記第３の電気スイッチ、前記第４の電気スイッチ、前記第５の電気スイッチ、前記第３のコンデンサ、及び第４のコンデンサは、前記サブピクセル内に位置する、請求項６に記載の液晶駆動回路。
【請求項９】
前記第１の電気スイッチ、前記第２の電気スイッチ、前記第３の電気スイッチ、及び前記第４の電気スイッチは、いずれもトランジスタである、請求項１に記載の液晶駆動回路。
【請求項１０】
前記第１の電気スイッチの制御端子、前記第２の電気スイッチの制御端子、前記第３の電気スイッチの制御端子、及び前記第４の電気スイッチの制御端子は、いずれもトランジスタのゲートである、請求項９に記載の液晶駆動回路。
【請求項１１】
前記第１の電気スイッチの第１の端子、前記第２の電気スイッチの第１の端子、前記第３の電気スイッチの第１の端子、及び前記第４の電気スイッチの第１の端子は、いずれもトランジスタのソースである、請求項９に記載の液晶駆動回路。
【請求項１２】
前記第１の電気スイッチの第２の端子、前記第２の電気スイッチの第２の端子、前記第３の電気スイッチの第２の端子、及び前記第４の電気スイッチの第２の端子は、いずれもトランジスタのドレインである、請求項９に記載の液晶駆動回路。
【請求項１３】
前記トランジスタは、ＮＰＮ型トランジスタである、請求項９に記載の液晶駆動回路。
【請求項１４】
前記第５の電気スイッチは、トランジスタであり、前記第５の電気スイッチは、第５の電気スイッチの制御端子をさらに含む、請求項１に記載の液晶駆動回路。
【請求項１５】
前記第５の電気スイッチの制御端子は、前記トランジスタのゲートであり、前記第５の電気スイッチの第１の端子は、前記トランジスタのソースであり、前記第５の電気スイッチの第２の端子は、前記トランジスタのドレインである、請求項１４に記載の液晶駆動回路。
【請求項１６】
前記トランジスタは、ＮＰＮ型トランジスタである、請求項１４に記載の液晶駆動回路。
【請求項１７】
前記第５の電気スイッチは、ダイオードであり、前記第５の電気スイッチの第１の端子は、前記ダイオードのカソードであり、前記第５の電気スイッチの第２の端子は、前記ダイオードのアノードである、請求項１に記載の液晶駆動回路。
【請求項１８】
画素セルと、前記画素セルに電力を供給する請求項１に記載の液晶駆動回路と、を含む液晶表示装置。
【請求項１９】
画素セルと、前記画素セルに電力を供給する請求項１５に記載の液晶駆動回路と、を含む液晶表示装置。
【請求項２０】
画素セルと、前記画素セルに電力を供給する請求項１７に記載の液晶駆動回路と、を含む液晶表示装置。
【発明の詳細な説明】
【技術分野】
【０００１】
本発明は、液晶表示技術に関し、特に液晶駆動回路及び液晶表示装置に関する。
【背景技術】
【０００２】
現在、薄膜電界効果トランジスタ表示装置、特にＶＡ（Ｖｅｒｔｉｃａｌ  Ａｌｉｇｎｍｅｎｔ  ｌｉｑｕｉｄ  ｃｒｙｓｔａｌ、垂直配向液晶）の液晶モードを用いた大きなサイズの液晶ディスプレイにおいて、一般的に広視野角でのカラーシフト（Ｃｏｌｏｒ  Ｓｈｉｆｔ）の問題が存在している。従来技術では、一般的に３Ｔ駆動回路を用いてこの問題を改善しており、すなわち、１つの画素において１本のＧａｔｅ線で３つのＴＦＴを制御して、低カラーシフト（ｌｏｗ  ｃｏｌｏｒ  ｓｈｉｆｔ）を改善するという効果を達成する。１つの画素セル領域をメインピクセル（Ｍａｉｎ  Ｐｉｘｅｌ）とサブピクセル（Ｓｕｂ  Ｐｉｘｅｌ）の２つのピクセルに分け、同じ映像信号（グレースケール）で、メインピクセルとサブピクセルの電圧を異ならせることにより、メインピクセルとサブピクセルにおいて異なるＧａｍｍａ曲線を呈する。前記メインピクセルとサブピクセルで合成されたＧａｍｍａ曲線は、広視野角で正視野角との差を低減して、低カラーシフトの問題を明らかに改善する。
【０００３】
図１は、従来技術の３Ｔ駆動回路の構造概略図であり、図１に示す３Ｔ式液晶駆動回路は、３つの電気スイッチＴ１０１〜Ｔ１０３と４つのコンデンサＣ２０１〜Ｃ２０４とを含み、画素セルは、メインピクセル１００（Ｍａｉｎ  Ｐｉｘｅｌ）とサブピクセル２００（Ｓｕｂ  Ｐｉｘｅｌ）とを含み、第１の電気スイッチＴ１０１、第１のコンデンサＣ２０１、及び第２のコンデンサＣ２０２がメインピクセル１００に位置し、第２の電気スイッチＴ１０２、第３の電気スイッチＴ１０３、第３のコンデンサＣ２０３及び第４のコンデンサＣ２０４がサブピクセル２００に位置する。第１の電気スイッチＴ１０１、第２の電気スイッチＴ１０２、及び第３の電気スイッチＴ１０３の制御端子は、ゲート制御端子３０１（Ｇａｔｅ）に接続され、第１のコンデンサＣ２０１及び第２のコンデンサＣ２０２の第１の端子は、データ端子３０２（Ｄａｔａ）に接続されて充電電圧を受け、第３のコンデンサＣ２０３及び第４のコンデンサＣ２０４は、第２の電気スイッチＴ１０２の第２の端子に接続されるとともに第３の電気スイッチＴ１０３の第１の端子に接続され、第１のコンデンサＣ２０１、第２のコンデンサＣ２０２、第３のコンデンサＣ２０３、第４のコンデンサＣ２０４及び第３の電気スイッチＴ１０３の第２の端子は、コモン電圧端子３０３（Ｃｏｍ）に接続されてコモン電圧を受ける。
【０００４】
３Ｔ回路の技術手段を用いて低カラーシフトを改善する方式には、メインピクセルとサブピクセルがそれぞれ電圧値の異なるコモン端子電圧を有するため、メインピクセルとサブピクセルの電圧が一致させることができず、液晶表示装置に画面揺れ及び映像フリッカーの現象が発生し、液晶表示装置の品質に重大な影響を及ぼすという問題が存在する。
【発明の概要】
【発明が解決しようとする課題】
【０００５】
本発明は、同じ画素セル領域内のメインピクセルのコモン端子の電圧値とサブピクセルのコモン端子の電圧値とが異なるという技術的問題を解決する液晶駆動回路を提供することを目的とする。
【課題を解決するための手段】
【０００６】
上記目的を達成するために、本発明は、液晶表示装置の画素セルに電力を供給する液晶駆動回路であって、第１の電気スイッチの制御端子、第１の電気スイッチの第１の端子、及び第１の電気スイッチの第２の端子を含む第１の電気スイッチと、第２の電気スイッチの制御端子、第２の電気スイッチの第１の端子、及び第２の電気スイッチの第２の端子を含む第２の電気スイッチと、第３の電気スイッチの制御端子、第３の電気スイッチの第１の端子、及び第３の電気スイッチの第２の端子を含む第３の電気スイッチと、第４の電気スイッチの制御端子、第４の電気スイッチの第１の端子、及び第４の電気スイッチの第２の端子を含む第４の電気スイッチと、第５の電気スイッチの第１の端子、及び第５の電気スイッチの第２の端子を含む第５の電気スイッチとを含み、第１のコンデンサの第１の端子、及び第１のコンデンサの第２の端子を含む第１のコンデンサと、第２のコンデンサの第１の端子、及び第２のコンデンサの第２の端子を含む第２のコンデンサと、第３のコンデンサの第１の端子、及び第３のコンデンサの第２の端子を含む第３のコンデンサと、第４のコンデンサの第１の端子、及び第４のコンデンサの第２の端子を含む第４のコンデンサと、をさらに含み、前記第１の電気スイッチの制御端子、前記第２の電気スイッチの制御端子、及び前記第３の電気スイッチの制御端子がゲート制御端子に接続され、前記第１のコンデンサの第１の端子、及び前記第２のコンデンサの第１の端子が前記第１の電気スイッチの第１の端子に接続され、前記第１の電気スイッチの第２の端子、及び前記第２の電気スイッチの第１の端子がデータ端子に接続されて充電電圧を受け、前記第３のコンデンサの第１の端子、及び前記第４のコンデンサの第１の端子が前記第２の電気スイッチの第２の端子に接続されるとともに前記第３の電気スイッチの第１の端子に接続され、前記第１のコンデンサの第２の端子、前記第２のコンデンサの第２の端子、前記第３のコンデンサの第２の端子、前記第４のコンデンサの第２の端子、及び前記第３の電気スイッチの第２の端子がコモン電圧端子に接続されてコモン電圧を受け、前記第４の電気スイッチの制御端子が前記ゲート制御端子に接続されて制御信号を受信し、前記第４の電気スイッチの第１の端子が前記第２の電気スイッチの第２の端子に接続され、前記第４の電気スイッチの第２の端子が前記第５の電気スイッチの第１の端子に接続され、前記第５の電気スイッチの第２の端子が前記コモン電圧端子に接続されてコモン電圧を受ける液晶駆動回路を提供する。
【０００７】
前記第１の電気スイッチ、前記第２の電気スイッチ、及び前記第３の電気スイッチが前記制御信号によってオンになり、前記第１のコンデンサ、前記第２のコンデンサ、前記第３のコンデンサ、及び前記第４のコンデンサを放電させると、前記データ端子から出力された電圧信号の負の半サイクル電圧信号によって、前記第５の電気スイッチがオンになり、さらに前記第４の電気スイッチがオンになり、前記第３のコンデンサ、及び前記第４のコンデンサを前記第４の電気スイッチによって補充放電させる。前記第５の電気スイッチが、前記データ端子から出力された電圧信号の負の半サイクル電圧信号によってオンになると、前記第３の電気スイッチ、及び前記第４の電気スイッチは、同時に前記第３のコンデンサ、及び前記第４のコンデンサを放電させる。
【０００８】
前記第１の電気スイッチ、前記第２の電気スイッチ、及び前記第３の電気スイッチが前記制御信号によってオンになり、前記第１のコンデンサ、前記第２のコンデンサ、前記第３のコンデンサ、及び前記第４のコンデンサを放電させると、前記データ端子から出力された電圧信号の正の半サイクル電圧信号によって、前記第５の電気スイッチがオフになり、さらに前記第４の電気スイッチがオフになり、第４の電気スイッチによる前記第３のコンデンサ、及び前記第４のコンデンサの補充放電を停止させる。第５の電気スイッチが、前記データ端子から出力された電圧信号の正の半サイクル電圧信号によってオフになると、前記第３の電気スイッチは、前記第３のコンデンサ、及び前記第４のコンデンサを放電させる。
【０００９】
前記画素セルは、メインピクセルとサブピクセルとを含み、前記第１の電気スイッチ、前記第１のコンデンサ、及び前記第２のコンデンサは、前記メインピクセル内に位置し、前記第２の電気スイッチ、前記第３の電気スイッチ、前記第４の電気スイッチ、前記第５の電気スイッチ、前記第３のコンデンサ、及び第４のコンデンサは、前記サブピクセル内に位置する。
【００１０】
前記第１の電気スイッチ、前記第２の電気スイッチ、前記第３の電気スイッチ、及び前記第４の電気スイッチは、いずれもトランジスタである。前記第１の電気スイッチの制御端子、前記第２の電気スイッチの制御端子、前記第３の電気スイッチの制御端子、及び前記第４の電気スイッチの制御端子は、いずれもトランジスタのゲートである。前記第１の電気スイッチの第１の端子、前記第２の電気スイッチの第１の端子、前記第３の電気スイッチの第１の端子、及び前記第４の電気スイッチの第１の端子は、いずれもトランジスタのソースである。前記第１の電気スイッチの第２の端子、前記第２の電気スイッチの第２の端子、前記第３の電気スイッチの第２の端子、及び前記第４の電気スイッチの第２の端子は、いずれもトランジスタのドレインである。前記トランジスタは、ＮＰＮ型トランジスタである。
【００１１】
前記第５の電気スイッチは、トランジスタであってよく、前記第５の電気スイッチは、第５の電気スイッチの制御端子をさらに含む。前記第５の電気スイッチの制御端子は、該トランジスタのゲートであり、前記第５の電気スイッチの第１の端子は、トランジスタのソースであり、前記第５の電気スイッチの第２の端子は、トランジスタのドレインである。前記トランジスタは、ＮＰＮ型トランジスタである。前記第５の電気スイッチは、ダイオードであってもよく、前記第５の電気スイッチの第１の端子は、該ダイオードのカソードであり、前記第５の電気スイッチの第２の端子は、該ダイオードのアノードである。
【００１２】
本発明は、従来技術では液晶表示装置に画面揺れ及び映像フリッカーの現象が発生するという技術的問題を解決する液晶表示装置を提供することを別の目的とする。
【００１３】
上記目的を達成するために、本発明は、画素セルと、前記画素セルに電力を供給する上述した液晶駆動回路とを含む液晶表示装置をさらに提供する。
【００１４】
本発明は、３Ｔ回路に基づいて改善された液晶駆動回路及び該液晶駆動回路を含む液晶表示装置を提供し、該液晶駆動回路のメインピクセルの充放電能力をそのまま保持する前提で、そのサブピクセルの画素の電圧信号の負の半サイクルにおける放電能力を適切に増強して、メインピクセルとサブピクセルが一致するコモン電圧を有することにより、従来技術における液晶ディスプレイに画面揺れ及び映像フリッカーの現象が発生するという技術的問題を解決し、液晶表示装置の表示品質を向上させるという利点を有する。
【図面の簡単な説明】
【００１５】
【図１】従来技術の３Ｔ駆動回路の構造概略図である。
【図２】本発明の第１実施形態に係る液晶駆動回路の回路図である。
【図３】本発明の第２実施形態に係る液晶駆動回路の回路図である。
【発明を実施するための形態】
【００１６】
以下、図面を参照しながら本発明の２つの好ましい実施形態を説明して、本発明を実施できることを証明し、これらの実施形態により、当業者に本発明を完全に説明して、その技術的内容をより明確にし、理解しやすくすることができる。本発明は、多くの異なる形態の実施形態によって実現され、本発明の保護範囲は、本明細書に言及された実施形態に限定されるものではない。
【００１７】
図面において、同一の構造を有する部材は同一の数字符号で示され、類似な構造又は機能を有する各部材は類似な数字符号で示される。１つの部材が別の部材に「接続される」と記載される場合、両者が直接的に「接続」されてもよいし、１つの部材が中間部材を介して別の部材に間接的に「接続」されてもよいと理解すべきである。以下、本発明の実施形態の図面を参照しながら、本発明の実施形態における技術手段を明確かつ完全に説明する。
【００１８】
（第１実施形態）
図２に示すように、本実施形態は、液晶表示装置の画素セルに電力を供給する液晶駆動回路を提供し、図において、５つの電気スイッチＴ１〜Ｔ５と４つのコンデンサＣ１〜Ｃ４とを含み、画素セルは、メインピクセル１００（Ｍａｉｎ  Ｐｉｘｅｌ）とサブピクセル２００（Ｓｕｂ  Ｐｉｘｅｌ）とを含み、第１の電気スイッチＴ１、第１のコンデンサＣ１、及び第２のコンデンサＣ２がメインピクセル１００に位置し、第２の電気スイッチＴ２、第３の電気スイッチＴ３、第４の電気スイッチＴ４、第５の電気スイッチＴ５、第３のコンデンサＣ３、及び第４のコンデンサＣ４がサブピクセル２００に位置する。
【００１９】
本実施形態において、コンデンサＣ１〜Ｃ４のうちのいずれかのコンデンサは、第１の端子及び第２の端子を含み、電気スイッチＴ１〜Ｔ５のうちのいずれかの電気スイッチは、制御端子、第１の端子及び第２の端子を含む。具体的には、第１の電気スイッチＴ１は、第１の電気スイッチの制御端子、第１の電気スイッチの第１の端子、及び第１の電気スイッチの第２の端子を含み、第２の電気スイッチＴ２は、第２の電気スイッチの制御端子、第２の電気スイッチの第１の端子、及び第２の電気スイッチの第２の端子を含み、第３の電気スイッチＴ３は、第３の電気スイッチの制御端子、第３の電気スイッチの第１の端子、及び第３の電気スイッチの第２の端子を含み、第４の電気スイッチＴ４は、第４の電気スイッチの制御端子、第４の電気スイッチの第１の端子、及び第４の電気スイッチの第２の端子を含み、第５の電気スイッチＴ５は、第５の電気スイッチの制御端子、第５の電気スイッチの第１の端子、及び第５の電気スイッチの第２の端子を含む。第１のコンデンサＣ１は、第１のコンデンサの第１の端子及び第１のコンデンサの第２の端子を含み、第２のコンデンサＣ２は、第２のコンデンサの第１の端子及び第２のコンデンサの第２の端子を含み、第３のコンデンサＣ３は、第３のコンデンサの第１の端子及び第３のコンデンサの第２の端子を含み、第４のコンデンサＣ４は、第４のコンデンサの第１の端子及び第４のコンデンサの第２の端子を含む。
【００２０】
本実施形態において、各電気スイッチは、トランジスタであり、その制御端子は、トランジスタのゲートであり、その第１の端子は、トランジスタのソースであり、その第２の端子は、トランジスタのドレインである。本実施形態において、ＮＰＮ型トランジスタが好ましく、他の実施形態において、他のタイプのトランジスタを選択してもよい。
【００２１】
本実施形態において、第１の電気スイッチＴ１、第２の電気スイッチＴ２、第３の電気スイッチＴ３、及び第４の電気スイッチＴ４の制御端子は、ゲート制御端子３０１（Ｇａｔｅ）に接続されて制御信号を受信し、第１のコンデンサＣ１及び第２のコンデンサＣ２の第１の端子は、データ端子３０２（Ｄａｔａ）に接続されて充電電圧を受け、第３のコンデンサＣ３及び第４のコンデンサＣ４は、第２の電気スイッチＴ２の第２の端子に接続されるとともに、第３の電気スイッチＴ３の第１の端子に接続され、第１のコンデンサＣ１、第２のコンデンサＣ２、第３のコンデンサＣ３、第４のコンデンサＣ４、第３の電気スイッチＴ３、及び第５の電気スイッチＴ５の第２の端子は、コモン電圧端子３０３（Ｃｏｍ）に接続されてコモン電圧を受ける。第４の電気スイッチＴ４の第１の端子は、第２の電気スイッチＴ２の第２の端子に接続され、第４の電気スイッチＴ４の第２の端子は、第５の電気スイッチＴ５の第１の端子に接続され、第５の電気スイッチＴ５の制御端子は、コモン電圧端子３０３（Ｃｏｍ）に接続されてコモン電圧を受ける。
【００２２】
なお、液晶表示装置における各画素セルについては、液晶の分極を防止するために、充電電圧の正の半サイクルと負の半サイクルを交互に行うことは、駆動時の基本的な要件である。画素セルの充電電圧がコモン端子電圧（Ｖｃｏｍ）より大きい場合は正の半サイクルであり、画素セルの充電電圧がコモン端子電圧（Ｖｃｏｍ）より小さい場合は負の半サイクルである。理想的な状態で、メインピクセル（Ｍａｉｎ  Ｐｉｘｅｌ）の画素電圧とサブピクセル（Ｓｕｂ  Ｐｉｘｅｌ）の画素電圧とが一致し、Ｖｃｏｍの大きさが等しく、コモン端子電圧が正負の半サイクルの中心に設定され、正のサイクルにおいて画素セルのメインピクセルの充電能力が放電能力と同じであり、負のサイクルにおいて画素セルのメインピクセルの充電能力が放電能力と同じであることが望ましい。しかしながら、実際には、画素セルのサブピクセルは、正のサイクルにおいては充電能力が放電能力に対して弱く、負のサイクルにおいては充電能力が相対的に強い。このような充電能力の非対称により、画素セルのサブピクセルのコモン端子電圧は、画素セルのメインピクセルのコモン端子電圧より低く、両者が一致させることができず、画素セル全体のＶｃｏｍを最適な状態に設定できないので、液晶表示装置に残像及び画面フリッカーの現象が発生する。
【００２３】
本実施形態において、従来技術の３Ｔ駆動回路に基づいて、第４の電気スイッチＴ４及び第５の電気スイッチＴ５の２つのＴＦＴトランジスタを追加する。画素セルのメインピクセルについては、メインピクセルの正のサイクル、負のサイクルの充電有効電圧及び放電有効電圧が変化せず、いずれも従来技術と同じである。
【００２４】
画素セルのサブピクセルについては、第１の電気スイッチＴ１、第２の電気スイッチＴ２、及び第３の電気スイッチＴ３がいずれもオンになり、第１のコンデンサＣ１、第２のコンデンサＣ２、第３のコンデンサＣ３、及び第４のコンデンサＣ４を放電させると、充電電圧が負の半サイクルである場合、第５の電気スイッチＴ５が、データ端子３０２（Ｄａｔａ）から出力された電圧信号の負の半サイクル電圧信号によってオンになり、さらに第４の電気スイッチＴ４がオンになり、第３の電気スイッチＴ３、第４の電気スイッチＴ４、及び第５の電気スイッチＴ５が同時にオンになり、第３のコンデンサＣ３及び第４のコンデンサＣ４を第４の電気スイッチＴ４によって補充放電させ、２つのＴＦＴは、同時にサブピクセル（Ｓｕｂ  Ｐｉｘｅｌ）の第３のコンデンサＣ３及び第４のコンデンサＣ４に対して放電処理を行うことにより、サブピクセルの放電プロセスを加速し、サブピクセルの充電能力が放電能力に対して弱くなる。充電電圧が正の半サイクルである場合、第４の電気スイッチＴ４がオンになるが、第４の電気スイッチＴ４に直列接続された第５の電気スイッチＴ５がオンになることができず、第４の電気スイッチＴ４が機能せず、第５の電気スイッチＴ５が、データ端子３０２（Ｄａｔａ）から出力された電圧信号の正の半サイクル電圧信号によってオフになり、さらに第４の電気スイッチＴ４がオフになり、第４の電気スイッチＴ４による第３のコンデンサＣ３及び第４のコンデンサの補充放電を停止させ、この場合、第３の電気スイッチＴ３のみがサブピクセル（Ｓｕｂ  Ｐｉｘｅｌ）の第３のコンデンサＣ３及び第４のコンデンサＣ４を放電させ、その充放電能力が変化しない。
【００２５】
サブピクセル（Ｓｕｂ  Ｐｉｘｅｌ）の負のサイクルの電位が低下し、正のサイクルの電位が変化せず、サブピクセル（Ｓｕｂ  Ｐｉｘｅｌ）の最適なコモン端子電圧Ｖｃｏｍが上昇し、メインピクセル（Ｍａｉｎ  Ｐｉｘｅｌ）の最適なコモン端子電圧Ｖｃｏｍとの差が縮小する。Ｔ４の大きさを調整することによりサブピクセル（Ｓｕｂ  Ｐｉｘｅｌ）の最適なコモン端子電圧Ｖｃｏｍをメインピクセル（Ｍａｉｎ  Ｐｉｘｅｌ）の最適なコモン端子Ｖｃｏｍと一致するように調整でき、このように、画素セル全体において、メインピクセルとサブピクセルのＶｃｏｍ電位が一致するようになり、最適な状態に近づく。
【００２６】
本実施形態は、さらに、画素セルと、前記画素セルに電力を供給する前記液晶駆動回路（図２参照）とを含む液晶表示装置を提供する。液晶駆動回路の構造及び動作原理は、ここで説明しないが、この液晶駆動回路を含む液晶表示装置に画面揺れ及び映像フリッカーの現象が発生しないので、液晶表示装置の表示品質を向上させる。第１実施形態に記載の液晶表示装置は、移動通信端末（例えばスマートフォン、タブレット）、ディスプレイ、テレビ等であってよい。
【００２７】
（第２実施形態）
本実施形態における大部分の技術手段は、第１実施形態と同様であり、第２実施形態における第５の電気スイッチＴ５０１がトランジスタではなく、ダイオードであり、第５の電気スイッチＴ５０１の第１の端子がダイオードのカソードであり、第４の電気スイッチＴ４のソースに接続され、第５の電気スイッチＴ５０１の第２の端子がダイオードのアノードであり、コモン電圧端子３０３（Ｃｏｍ）に接続されてコモン電圧を受けるという相違点を有する。
【００２８】
本実施形態において、従来技術の３Ｔ駆動回路に基づいて、ＴＦＴトランジスタＴ４（第４の電気スイッチ）、ダイオードＴ５０１（第５の電気スイッチ）を追加する。画素セルのサブピクセルについては、第１の電気スイッチＴ１、第２の電気スイッチＴ２、及び第３の電気スイッチＴ３がいずれもオンになって、第１のコンデンサＣ１、第２のコンデンサＣ２、第３のコンデンサＣ３、及び第４のコンデンサＣ４を放電させると、第５の電気スイッチＴ５が、データ端子３０２（Ｄａｔａ）から出力された電圧信号の負の半サイクル電圧信号によってオンになり、さらに第４の電気スイッチＴ４がオンになり、第３のコンデンサＣ３及び第４のコンデンサＣ４を第４の電気スイッチＴ４によって補充放電させる。この場合、第３の電気スイッチＴ３及び第４の電気スイッチＴ４は、いずれも第３のコンデンサＣ３及び第４のコンデンサＣ４に対して放電処理を行うことができ、２つのＴＦＴは、同時にサブピクセル（Ｓｕｂ  Ｐｉｘｅｌ）に対して放電を行うことにより、サブピクセルの放電プロセスを加速し、サブピクセルの充電能力が放電能力に対して弱くなる。充電電圧が正の半サイクルである場合、第４の電気スイッチＴ４に直列接続された第５の電気スイッチＴ５は、逆接続されたダイオードであり、オンになることができず、第４の電気スイッチＴ４が機能しない。第５の電気スイッチＴ５が、データ端子３０２（Ｄａｔａ）から出力された電圧信号の正の半サイクル電圧信号によってオフになり、さらに第４の電気スイッチＴ４がオフになり、第４の電気スイッチＴ４による第３のコンデンサＣ３及び第４のコンデンサの補充放電を停止させ、この場合、第３の電気スイッチＴ３のみがサブピクセル（Ｓｕｂ  Ｐｉｘｅｌ）の第３のコンデンサＣ３及び第４のコンデンサＣ４を放電させ、その充放電能力が変化しない。
【００２９】
サブピクセル（Ｓｕｂ  Ｐｉｘｅｌ）の負のサイクルの電位が低下し、正のサイクルの電位が変化せず、サブピクセル（Ｓｕｂ  Ｐｉｘｅｌ）の最適なコモン端子電圧Ｖｃｏｍが上昇し、メインピクセル（Ｍａｉｎ  Ｐｉｘｅｌ）の最適なコモン端子電圧Ｖｃｏｍとの差が縮小する。Ｔ４の大きさを調整することによりサブピクセル（Ｓｕｂ  Ｐｉｘｅｌ）の最適なコモン端子電圧Ｖｃｏｍをメインピクセル（Ｍａｉｎ  Ｐｉｘｅｌ）の最適なコモン端子Ｖｃｏｍと一致するように上昇させることができ、このように、画素セル全体において、メインピクセルとサブピクセルのＶｃｏｍ電位が一致するようになる。
【００３０】
第２実施形態は、さらに、画素セルと、前記画素セルに電力を供給する上述した液晶駆動回路（図３参照）とを含む液晶表示装置を提供する。液晶駆動回路の構造及び動作原理は、ここで説明しないが、この液晶駆動回路を含む液晶表示装置に画面揺れ及び映像フリッカーの現象が発生しないので、液晶表示装置の表示品質を向上させる。第２実施形態に記載の液晶表示装置は、移動通信端末、ディスプレイ、テレビ等を含んでよい。
【００３１】
本発明は、３Ｔ回路に基づいて改善された液晶駆動回路及び該液晶駆動回路を含む液晶表示装置を提供し、該液晶駆動回路のメインピクセルの充放電能力をそのまま保持する前提で、そのサブピクセルの画素の電圧信号の負の半サイクルにおける放電能力を適切に増強して、メインピクセルとサブピクセルが一致するコモン電圧を有することにより、従来技術における液晶ディスプレイに画面揺れ及び映像フリッカーの現象が発生するという技術的問題を解決し、液晶表示装置の表示品質を向上させる。
【００３２】
以上は、本発明の好ましい実施形態に過ぎず、なお、当業者にとって、本発明の原理から逸脱することなく、いくつかの改良及び修飾を行うことができ、これらの改良と修正も本発明の特許請求の範囲内に含まれるものとする。
【符号の説明】
【００３３】
１００  メインピクセル
２００  サブピクセル
３０１  ゲート制御端子
３０２  データ端子
３０３  コモン電圧端子
Ｔ１０１  第１の電気スイッチ
Ｔ１０２  第２の電気スイッチ
Ｔ１０３  第３の電気スイッチ
Ｃ２０１  第１のコンデンサ
Ｃ２０２  第２のコンデンサ
Ｃ２０３  第３のコンデンサ
Ｃ２０４  第４のコンデンサ
Ｔ１  第１の電気スイッチ
Ｔ２  第２の電気スイッチ
Ｔ３  第３の電気スイッチ
Ｔ４  第４の電気スイッチ
Ｔ５  第５の電気スイッチ
Ｃ１  第１のコンデンサ
Ｃ２  第２のコンデンサ
Ｃ３  第３のコンデンサ
Ｃ４  第４のコンデンサ
Ｔ５０１  第５の電気スイッチ。
【図１】
2019522241.tif 000003
【図２】
2019522241.tif 000004
【図３】
2019522241.tif 000005
【国際調査報告】
2019522241.tif 000006
2019522241.tif 000007
2019522241.tif 000008
2019522241.tif 000009